(57)【要約】【課題】小学生が教科書等を運ぶ為に用いるランドセルは、防災頭巾の機能は持ち合わせていない。また従来の学生用の防災頭巾は厚みがあり、寸法もランドセルよりも大きいため、主収納部に収めることが出来ない。このため、災害時においては、別途防災頭巾を持参していない限り、ランドセル自体を頭に被せることでしか、落下物等から頭部を防御することができない。【解決手段】従来のランドセルの主収納部に収納できるコンパクトで薄型の簡易防災頭巾をランドセルに収納する。または従来のランドセルの背板内部に装着されたクッションの代わりに薄型の簡易防災頭巾を収納する。このことによりランドセルの収納能力を減じることになる、あるいは、若干ながらランドセル本体の厚みが増すことになるものの、災害時にはただちに防災頭巾を取り出し、それを使用することが可能となる。本防災頭巾を使用することにより、落下物等から頭部を保護することが可能になる。【選択図】  図１
2007111078.tif 000002
【特許請求の範囲】
【請求項１】
従来のランドセルの収納能力を大幅に減じることなく、かつ従来のランドセルの形状を変更することなく、その主収納部に常備することが可能な薄型の簡易防災頭巾。
【請求項２】
通常時には従来のランドセルの背板内部に装着されるクッションの収納部分に収納でき、クッションとしての役割を果たす上、災害時には背板部分より容易に取り出し、防災頭巾として使用することが可能な薄型の簡易防災頭巾。
【請求項３】
緩衝材を内蔵した二つの側面を左右に引っ張ることにより、頭部上部を保護する緩衝材を内蔵した上部側面、頭部後部を保護する後部側面が自動的に形成され、防災頭巾として機能することを特徴とする請求項１、または請求項２記載の箱型の簡易防災頭巾。
【発明の詳細な説明】
【技術分野】
【０００１】
この発明は、小学生が教科書等を運ぶために用いるランドセルに常備することが可能な薄型の簡易防災頭巾に関する。
【背景技術】
【０００２】
従来の小学生が教科書等を運ぶために用いるランドセルは、背中のあたる部分にクッションが内蔵されているが、防災頭巾の機能は持ち合わせていない。また従来の学生用の防災頭巾は厚みがあり、寸法もランドセルよりも大きいため、主収納部に収めることが出来ない。このため、災害時においては、別途従来の防災頭巾を持参していない限り、ランドセル自体を頭部に当てることでしか、落下物等から頭部を防御することができない。またランドセル自体を頭部に当てる際には、両手を上に挙げる形となることから俊敏な動きが出来なくなる恐れがある。
【発明の開示】
【発明が解決しようとする課題】
【０００３】
そこで、この発明は、従来の防災頭巾を保持していない場合にも、災害時にはランドセルから防災頭巾を取り出し、使用できるようにすることを課題とする。
【課題を解決するための手段】
【０００４】
以上の課題を解決するために、第一発明は、従来のランドセルの収納能力を大幅に減じることなく、かつ従来のランドセルの形状を変更することなく、その主収納部に常備することが可能な薄型の簡易防災頭巾である。
【０００５】
また第二発明は、通常時には従来のランドセルの背板内部に装着されるクッションの収納部分に収納でき、クッションとしての役割を果たす上、災害時には背板部分より容易に取り出し、防災頭巾として使用することが可能な薄型の簡易防災頭巾である。
【０００６】
また第三発明は、緩衝材を内蔵した二つの側面を左右に引っ張ることにより頭部上部を保護する緩衝材を内蔵した上部側面、頭部後部を保護する緩衝材を内蔵した後部側面が自動的に形成され、防災頭巾として機能する箱型の簡易防災頭巾である。
【発明の効果】
【０００７】
第一発明によれば、ランドセル本来の用途である鞄としての収納能力を減じることとなるものの、災害時にはただちに防災頭巾を取り出し、それを使用することが可能となる。また本防災頭巾は従来のランドセルにそのまま収納することが出来ることから、ランドセル自体に特別な改良を加える必要もなく、新たにランドセルを購入する必要もない。
【０００８】
また第二発明によれは、従来のランドセルの背板に装着された緩衝材の収納部分に収納されることから、若干本体の厚みが増すものの、ランドセル本来の用途である鞄としての収納能力を減じることなく、災害時には背板部分よりただちに防災頭巾を取り出し、それを使用することが可能となる。またランドセル自体への改良も、背板部の一部分に面ファスナー、ファスナーなどの着脱装置を取り付けるだけで対応できることから、従来の製造工程を大幅に変更する必要はない。
【０００９】
また第三発明によれば、その形状により従来の防災頭巾のように柔軟性の高い緩衝材を材料として選定する必要性が低くなることから、より強度の強いプラスチック板、ポリエチレンフォーム等を防災頭巾内部に内蔵することが可能となる。
第一発明、第二発明、第三発明によれば、落下物が頭部に落ちてきた際に受ける衝撃を緩和することが可能になる。またランドセルや鞄を頭部に当てる時のように両手の自由を奪われることもなく、より俊敏な行動が可能になると考える。
【発明を実施するための最良の形態】
【００１０】
この発明の実施形態を、図１〜図７に示す。
防災頭巾の表面、裏地は、難燃性繊維で作る。側面の内部の一部、または全てにプラスチック板、ウレタン、ポリエチレンフォーム、スポンジなどの緩衝材1を内蔵する。防災頭巾の２枚の主側面２、３は、ランドセルの縦、横とほぼ同じ寸法で作成する。通常時、すなわちランドセルの主収納部に防災頭巾を収納している時、または従来のランドセルの背板内部に装着されているクッションの代替物として収納している時には、両形状ともに２枚の主側面を重ね合わせた形で収納される。両側面が離れないように面ファスナー４で固定する。災害時にはこの面ファスナー４をはずし、頭巾の形状に変形させる。背板内部の緩衝材の代替物として収納される形状の場合には、背板に取り付けられた面ファスナー、スナップボタン、ファスナー等の着脱装置５をはずし、背板の一部を開放することにより、防災頭巾を取り出す。従来の防災頭巾と同様の形状の簡易型防災頭巾は、面ファスナー４をはずして現われる開口部を頭部に被せることにより防災頭巾として機能させる。面ファスナー４は、防災頭巾使用時には首紐６として機能させる。また箱型の簡易防災頭巾においても、防災頭巾の表面、裏地は、難燃性繊維で作る。内部には防災頭巾の側面の全てにプラスチック板、ウレタン、ポリエチレンフォーム、スポンジなどの緩衝材１を内蔵する。防災頭巾の２枚の主側面２、３は、ランドセルの背板よりやや小さい寸法で作成する。通常時、すなわちランドセルの主収納部に防災頭巾を収納している時には、２枚の主側面を重ね合わせた形で収納する。両主側面を合わせた内側には、防災頭巾使用時に、頭部上部、頭部後部を保護するための側面７、８が折り畳んだ形で収納される。側面７、８にも緩衝材９を内蔵する。側面７の上部には、主側面を引っ張った際に生じる開口部分を覆う側面として、緩衝材を内蔵した側面１０を配置する。災害時には、面ファスナー４をはずし、主側面２、３を引っ張ることで、側面７、８が内側から迫り出し、頭部上部、頭部後部を保護する側面が形成される。面ファスナー４は、防災頭巾使用時には首紐６として使用する。最後に側面７上部に配置した側面１０で展開時に生じる開口部を覆うことで防災頭巾として機能させる。
【００１１】
「実施形態の効果」
これらの実施形態によれば、災害時にはただちに防災頭巾を取り出し、それを使用することが可能となる。災害時には、これらの防災頭巾を使用することにより、落下物等から頭部を保護することが可能になる。またランドセルや鞄を頭部に被せる時のように両手の自由を奪われることもなく、より俊敏は行動が可能になると考える。
【図面の簡単な説明】
【００１２】
【図１】ランドセルの主収納部に簡易防災頭巾を収納した際の通常時の斜視図である。
【図２】ランドセルの背板部分より簡易防災頭巾を取り出す際の斜視図である。
【図３】ランドセルの主収納部、または背板部分より取り出した際の従来型簡易防災頭巾の斜視図である。
【図４】従来型簡易防災頭巾の使用時の斜視図である。
【図５】ランドセルの主収納部、または背板部分より取り出した際の箱型簡易防災頭巾の斜視図である。
【図６】箱型簡易防災頭巾の両側面を引っ張り、展開した際の斜視図である。
【図７】箱型簡易防災頭巾の使用時の斜視図である。
【符号の説明】
【００１３】
１  緩衝材
２  側面
３  側面
４  面ファスナー
５  着脱装置
６  首紐
７  側面
８  側面
９  緩衝材
１０  側面
【図１】
2007111078.tif 000003
【図２】
2007111078.tif 000004
【図３】
2007111078.tif 000005
【図４】
2007111078.tif 000006
【図５】
2007111078.tif 000007
【図６】
2007111078.tif 000008
【図７】
2007111078.tif 000009